(57)【要約】【課題】  エルボ等の曲げ配管部材を使用することなく、無継ぎ目状態で敷設地の地形に沿わせて自由に曲げ配管でき、路面上から加えられる大きな圧縮力に対して充分に耐え得る硬度と靭性とを有する舗道用排水管の提供。【解決手段】  非塩素系合成樹脂製の線材ａが所定の間隔ｓを隔てて螺旋状に巻回形成された内層１と、この内層１上において、同じく非塩素系合成樹脂製の線材ｂが所定の間隔Ｓを隔てて、前記内層１形成螺旋方向と同じ螺旋方向で、かつ、管径方向に沿った面との仰角を異ならせて巻回形成された外層２とからなり、これらの線材ａ，ｂが螺旋形状を自己保持可能な硬質樹脂素材で形成され、内層１形成線材ａと外層２形成線材ｂとの重合点が互いに融着または接着剤を介して接着され、内層形成線材ａの間隔ｓと外層形成線材ｂの間隔Ｓとの各交点に小孔ｈが形成されているもの。【選択図】      図１
2005090548.tif 000002
【特許請求の範囲】
【請求項１】
非塩素系合成樹脂製の線材(a)が所定の間隔(s)を隔てて螺旋状に巻回形成された内層(1)と、この内層(1)上において、同じく非塩素系合成樹脂製の線材(b)が所定の間隔(S)を隔てて、前記内層(1)形成螺旋方向と同じ螺旋方向で、かつ、管径方向に沿った面との仰角を異ならせて巻回形成された外層(2)とからなり、これらの線材(a)，(b)が螺旋形状を自己保持可能な硬質樹脂素材で形成され、内層(1)形成線材(a)と外層(2)形成線材(b)との重合点が互いに融着または接着剤を介して接着され、前記内層形成線材(a)の間隔(s)と外層形成線材(b)の間隔(S)との各交点に小孔(h)が形成されている透水舗道用排水管。
【請求項２】
内層(1)形成線材(a)の間隔(s)と外層(2)形成線材(b)の間隔(S)とを異ならせてある請求項１に記載の透水舗道用排水管。
【請求項３】
内層(1)形成線材(a)と外層(2)形成線材(b)とが、複数本づつそれぞれ平行に螺旋巻きされたものである請求項１または２に記載の透水舗道用排水管。
【請求項４】
内層(1)形成線材(a)が６本で相対間隔を密に螺旋巻きされ、外層(2)形成線材(b)が８本で相対間隔を粗に螺旋巻きされている請求項１乃至３の何れかに記載の透水舗道用排水管。
【請求項５】
線材(a)，(b)が、ポリエステル、ポリアミド、ポリカーボネイト、ＡＢＳ、ＡＢＳを主体としたアロイの何れかの樹脂素材で形成されたものである請求項１乃至４の何れかに記載の透水舗道用排水管。
【発明の詳細な説明】
【技術分野】
【０００１】
本発明は、路面の表層面に透水性舗装を施した道路の路面下への透過水を集めて所定の排水管路に案内し、円滑な排水を行うために使用する透過水集水排水用の管に関するものである。
【背景技術】
【０００２】
この種の透水舗道用排水管は、周知のように、透水性舗装を施した道路の下方に敷設して、舗装面から路面下に透過した雨水や散水を管内に集めて所定の排水管路に案内し排水するために使用される管であって、当業界においては周知である。
【０００３】
従来から知られたこの種透水舗道用排水管の代表的なものとしては、図６に示したように、合成樹脂製の線材ａを複数本引き揃えて所定の間隔ｓを隔てて螺旋状に巻回させて形成した内層１と、この内層１上において、同じく合成樹脂製の線材ｂを内層形成線材ａの数と同本数引き揃えて前記間隔ｓと同じ間隔ｓを隔てて、前記内層１を形成した螺旋方向と交差するように逆螺旋方向に巻回して形成させた外層２とからなり、これらの線材ａ，ｂどうしの重合点を互いに融着させて一体化し、これら内層形成線材ａの間隔ｓと外層形成線材ｂの間隔ｓとの各交点に小孔ｈが形成される構造としたものがある。
【特許文献１】特開平１０−２３７９３４号公報
【特許文献２】特開２００２−８１０１３号公報
【特許文献３】特開２００２−３６４７８５号公報
【発明の開示】
【発明が解決しようとする課題】
【０００４】
しかしながら、このような構造とした従来の透水舗道用排水管は、透水舗装面の下に配管敷設するものであるため耐圧変形強度に優れている必要があり、地形や排水箇所の位置関係によって屈曲配管させなければならない必要性から、同時に可撓性を備えている必要がある。しかしながら、該図６に示した舗道用排水管の場合は、耐圧変形強度を保持させると可撓性に乏しいものとなり、可撓性を優先させると耐圧変形強度が乏しいものとなるという課題を有するものであった。
【０００５】
本発明は、このような従来の舗道用排水管が有していた課題に着目し、かつ、この種のネット状としたホースは、互いにクロスする螺旋方向に線材を巻回させなければならないという潜在的観念を根本的に変えることによって、これらの課題を全面的に解決できる舗道用排水管であって、敷設地の地形に沿わせて自由に曲がり配管することができ、従来管ではエルボ等を使用していた屈曲配管箇所であってもエルボ等の曲げ配管部材を一切使用することなく、無継ぎ目状態で直ちに曲げ配管することができ、同時に、路面上から加えられる大きな圧縮力に対しても充分に耐え得る硬度と靭性を有する構造とした舗道用排水管を提供しようとするものである。
【課題を解決するための手段】
【０００６】
該目的を達成するために講じた本発明の構成を、実施例において使用した符号を用いて説明すると、非塩素系合成樹脂製の線材ａが所定の間隔ｓを隔てて螺旋状に巻回形成された内層１と、この内層１上において、同じく非塩素系合成樹脂製の線材ｂが所定の間隔Ｓを隔てて、前記内層１形成螺旋方向と同じ螺旋方向で、かつ、管径方向に沿った面との仰角を異ならせて巻回形成された外層２とからなり、これらの線材ａ，ｂが螺旋形状を自己保持可能な硬質樹脂素材で形成され、内層１形成線材ａと外層２形成線材ｂとの重合点が互いに融着または接着剤を介して接着され、前記内層形成線材ａの間隔ｓと外層形成線材ｂの間隔Ｓとの各交点に小孔ｈが形成されている構成としたものである。
【発明の効果】
【０００７】
本発明にいうところの透水舗道用排水管は、使用素材として非塩素系合成樹脂製の線材を使用し、これを所定の間隔を隔てて螺旋状に巻回形成してある内層と、この内層上において、同じく非塩素系合成樹脂製の線材を所定の間隔を隔てて内層と同じ螺旋方向で、管径方向に沿った面との仰角を異ならせて巻回形成してある外層とからなり、これらの線材を螺旋形状を自己保持可能な硬質樹脂素材で形成し、これら内外両線材の重合点を融着または接着させて、内層形成線材の前記間隔と外層形成線材の前記間隔との各交点に小孔が形成されているものとしたので、ホースそれ自体は路上面にかかる大きな圧力に充分に耐え得る強度を備えているものでありながら、人力で容易に曲げることができ、エルボ等の曲げ配管用継手部材を使用することなく、埋設地の地形に沿わせて直ちに配管することができ、路面下への配管を容易迅速に行い得るという顕著な利点を有する。
【０００８】
本発明にいう透水舗道用排水管にあっては、構成素材の全てを非塩素系樹脂素材によって形成してあるので、長年月路面下に埋設したままであっても有毒な塩素の地中への溶出懸念がなく安心して使用でき、路面の改修に際してアスファルトピッチ等の路面形成材と同時に混合回収された場合でも、加熱により溶融するので路面形成材としての再使用が可能であり、分別回収する必要がない点で好ましい。また、廃棄処分されて焼却された場合でも、有毒ガスが発生する虞がないという利点をも有している。
【発明を実施するための最良の形態】
【０００９】
このような構成とした舗道用排水管を実施するに当たっては、前記内層１を形成する線材ａと外層２を形成する線材ｂとのそれぞれの間隔ｓ，Ｓを異ならせてあるものとして実施することができる。また、これらの線材ａ，ｂをそれぞれ複数本づつを平行状態にして螺旋巻きして形成すると、能率良く舗道用排水管を形成することができる。例えば、内層１を形成する線材ａと外層２を形成する線材ｂとを、それぞれ５本づつなり、８本づつなり、或いは異なる適宜の本数を平行に引き揃えた状態で螺旋巻きすると能率良く舗道用排水管を形成することができる。
【００１０】
即ち、この舗道用排水管を形成する内層１用の形成線材ａと外層２用の形成線材ｂとは必ずしも均等本数である必要はなく、異なる本数例えば内層１形成線材ａを６本とし、外層２形成線材ｂを８本とする等、或いは外層形成線材ｂよりも内層形成線材ａを多くする等として形成してもよい。また、線材の太さについても、複数本全てが均等太さのものである必要はなく、細い線材と太い線材とを適宜に組み合わせて形成してもよい。また、前記線材ａ，ｂは、必ずしも断面形状が円形のものである必要はなく、例えば、断面平帯形状、正方形状、円形の上下を切断した形状や半円形状等適宜の形状の線材を使用することができる。
【００１１】
また、本発明にいうところの線材ａ，ｂは、舗道用排水管として路面下への埋設後に塩素等が流出する虞のある塩素系樹脂の使用を排し、例えば、ポリエステル樹脂やポリアミド、ポリカーボネイト、ＡＢＳ、ＡＢＳを主体としたアロイ等のような非塩素系の合成樹脂であって所定の硬度と靭性とを備えた樹脂を適宜に選択使用することが好ましい。また、これらの樹脂の場合は、路面の改装時にアスファルトピッチ等の路面形成材と同時に混合回収されても加熱溶融するので、回収時に選別抽出する必要がない点でも好ましい。
【実施例】
【００１２】
以下本発明の実施例について図面に基づいて説明する。図１乃至図４は、本発明の第１実施例について示した図であって、図１は管壁の上半部の一部を中断して示した正面図、図２は図１の中断部分を拡大して示した部分断面図、図３は図１の管体の左側の端面形状を示した側面図、図４は内層上に外層を形成する状態を説明する説明図である。
【００１３】
該第１実施例に示した舗道用排水管Ｈは、図２に示したように、所定の太さを有するように形成された硬質ポリエステル樹脂を押し出して形成した、線径１．６φの線材ａを６本平行に引き揃えて、それぞれ所定の間隔ｓを隔てて左巻き螺旋状に巻回させることによって螺旋線材ａのみからなる内層１を形成する。この内層１上において、同じく硬質ポリエステル樹脂製の線径１．６φとした線材ｂを８本平行に引き揃えて、前記間隔ｓよりも大きな間隔Ｓを隔てて、前記内層形成螺旋方向と同じ左巻き螺旋方向であって、前記内層１形成螺旋に比して、管径方向に沿った面との仰角を大として大きく立ち上がった状態の螺旋方向に巻着付けられて形成された外層２とからなっていて、これらの線材ａ，ｂが螺旋形状を自己保持可能な硬質樹脂素材で形成され、内層１の形成線材ａと外層２の形成線材ｂとの重なり点が互いに融着され、前記内層形成線材ａの間隔ｓと外層形成線材ｂの間隔Ｓとのそれぞれの交点に集水用の小孔ｈが多数形成されている構造としたものである。
【００１４】
このような構造とした舗道用排水管Ｈは、管の曲げ方向に外力を加えると内外層１，２の構成線材ａ，ｂが、従来品のように直交して突っ張り合うことがないので、人力で容易に曲げ姿勢に変化させることができる。そのため屈曲配管にあたってエルボのような曲げ配管のための継手部材を一切使用することなく、ホースＨ自体を直接曲げて直ちに曲げ配管させることができる。
【００１５】
該実施例で説明した舗道用排水管Ｈは、内層１を形成する線材ａと外層２を形成する線材ｂとを、それぞれ６本と８本使用するものとして示したが、この本数は、特別な意義があるものではなく、５本と９本なり、５本と７本なり適宜の本数を選定すればよいのであるが、これらのように異なる本数とする必要性はなく、例えば内外ともに６本づつなり、８本づつなりとして形成することができるものである。
【００１６】
更に、使用する線材ａ，ｂの太さについても、内層１を形成する線材ａと外層２を形成する線材ｂの太さを異なる太さのものとして実施してもよく、また、線材ａ，ｂのそれぞれの太さについても、複数本全てが均等太さのものである必要性はなく、細い線材と太い線材とを適宜に組み合わせて形成してもよい。
【００１７】
更にまた、前記線材ａ，ｂは、前記各実施例に示したように、必ずしも断面形状が円形のものである必要はなく、例えば、図５に例示したように、断面平帯形状のものａ１，ｂ１、正方形状のものａ２，ｂ２、円形の上下を切断した形状のものａ３，ｂ３や半円形状のものａ４，ｂ４等適宜の形状の線材を使用することができる。
【００１８】
また、本発明にいうところの内層形成線材ａと外層形成線材ｂとの間隔ｓ，Ｓについては、任意の所定の間隔に設定することができ、また、両線材ａ，ｂの管径方向に沿った面との仰角についても適宜に設定して実施することができる。
【００１９】
以上本発明の代表的と思われる実施例について説明したが、本発明は必ずしもこれらの実施例構造に示したもののみに限定されるものではなく、本発明にいう前記の構成要件を備え、かつ、本発明にいう目的を達成し、以下にいう効果を有する範囲内において適宜改変して実施することができるものである。
【産業上の利用可能性】
【００２０】
本発明にいう透水舗道用排水管は、舗装道路を透水性を有する敷設材によって舗装し、この舗装した道路の下方において、舗装面から路面下に透過した雨水や散水を管内に集めて所定の排水管路に案内し排水するために使用される管であるから、透水性を有する舗装道路が増大するのに伴ってその需要は今後益々増大する傾向にある。
【図面の簡単な説明】
【００２１】
【図１】第１実施例の舗道用排水管を示す一部縦断正面図。
【図２】図１のホースの断面部分の拡大図。
【図３】図１のホースの左側面図。
【図４】図１のホースの構造説明図。
【図５】線材の断面形状を示す端面図。
【図６】従来技術の舗道用排水管を示す一部省略正面図。
【符号の説明】
【００２２】
１  内層
２  外層
ａ  内層形成線材
ｂ  外層形成線材
ｈ  小孔
ｓ  内層の間隔
Ｓ  外層の間隔
Ｈ  舗道用排水管
【図１】
2005090548.tif 000003
【図２】
2005090548.tif 000004
【図３】
2005090548.tif 000005
【図４】
2005090548.tif 000006
【図５】
2005090548.tif 000007
【図６】
2005090548.tif 000008